(57)【要約】  【課題】いつ、誰が見ても未使用であるか、使用済であるかを誤認させることなく判別できる電池を提供する。  【解決手段】電池容器１０２を包装する外装材１０３に設けられた剥離部１０７と、剥離部１０７によって被覆される領域部分に設けられた文字、画像、記号、符号等の表示１５０を備えることを特徴とする。これにより、該電池が使用済である表示を必要に応じて出現させることができ、使用者に該電池が未使用であるか、使用済であるかを誤認させずに判別させることができる。  【選択図】図１
2008305582.tif 000002
【特許請求の範囲】
【請求項１】
端子部以外の電池容器の表面を外装材で包装した電池であって、
前記外装材に設けられた剥離部と、
前記剥離部によって被覆されている領域部分に設けられた文字、画像、記号または符号等のうち少なくとも一つの表示と、
を備えることを特徴とする電池。
【請求項２】
前記剥離部には手指で摘まむことができる耳部が形成されていることを特徴とする請求項１記載の電池。
【請求項３】
前記剥離部は前記電池容器の表面に設けられた文字、画像、記号または符号等を被覆する部分に位置することを特徴とする請求項２記載の電池。
【請求項４】
前記剥離部は矩形の前記包装材の一端部に設けられ、前記包装材のもう一つの端部に設けられた文字、画像、記号または符号等を前記電池容器に包装されたときに被覆することを特徴とする請求項２記載の電池。
【発明の詳細な説明】
【技術分野】
【０００１】
本発明は、電池が未使用か使用済であるかを目視して確認することができる表示のなされる電池に関する。
【背景技術】
【０００２】
一次電池を電子機器に装填する際に電池の未使用性を判別するために、電池の端子部等に未使用である趣旨の表示を施した封印シールを貼付することで未使用、使用済の誤認を防ぐ方策等が講じられている。封印シールが貼付されている電池は未使用であることを確認することができ、使用済の電池を誤って装填してしまうことを防止することができる。そのため、未使用の電池を正しく装填することができ、電気機器を正常に動作させることができる。
【０００３】
図１１は正極端子部４０４に封印シール４０７を貼付することで該電池の未使用、或いは使用済の判別ができる筒型電池４０１を示す概念図である。また、図１２は図１１に示す筒型電池４０１を正極端子部４０４の方向から示した概念図である。
【０００４】
電池４０１は発電材を収容した電池容器４０２を、正極端子部４０４と負極端子部４０５以外の表面を外装材４０３によって包装されることで構成されている。この外装材４０３の一端を短冊状に形成し、正極端子部４０４の上面を保護するように接着し、封印シール４０７とする。
【０００５】
上述の封印シール４０７の正極端子部４０４と接する面には再剥離性を有する粘着層が形成され、外装材４０３の包装時に接着される。
よって、電池４０１はこの封印シール４０７が正極端子部４０４に接着された状態であれば、未使用のものであると確認することができる。（特許文献１参照）。
【特許文献１】特開２００４−２５９５１４号公報
【発明の開示】
【発明が解決しようとする課題】
【０００６】
上述した従来の様態では、封印シール４０７が存在しない、という事象が該電池４０１は使用済であることを意味する、と使用者が認知していることが前提としてあらねばならない。
そのため、この様態の電池４０１を初めて使用する使用者は、封印シール４０７が存在しないということだけでは電池４０１が未使用であるか、使用済であるかという判断をすることはできない。
【０００７】
また、図１１に示したように、封印シール４０７は電池４０１の正極端子部４０４或いは負極端子部４０５といった突起部を被覆するように貼付される。そのため、電池４０１と封印シール４０７との間に空隙４１０が生じる。この空隙４１０に意図せずに何かが当たるなどして封印シール４０７を剥離させてしまう虞がある。未使用の電池であっても封印シール４０７が存在しなければ、封印シール４０７が存在しないことが使用済の電池である、ということを認知している使用者は使用済の電池であると誤認してしまい、そのまま廃棄されてしまうことになる。これは、多大なる浪費を招く原因ともなる。
また、市場には当初から封印シールが施されておらず、未使用、使用済の区別ができない電池も多く存在する。そのため、電池４０１に封印シール４０７が存在しないことに対して特段の意識を持たない使用者も存在する。そのような使用者が電池４０１を使用すると、封印シール４０７の有無にかかわらず、未使用、使用済のものを混在させてしまう虞がある。そして、使用済或いは未使用の電池が混在した状態で電気機器に装填してしまい、電池からの液漏れや電力の浪費といった問題を招くことにもなり得る。
したがって、従来の態様では電池の未使用、使用済かを誤認させてしまい、誤って機器に装填してしまったり、使用できる電池であることが判らずに廃棄してしまったりするといった問題があった。
【０００８】
本発明は、かかる問題点を克服し、いつ、誰が見ても未使用であるか、使用済であるかを誤認させることなく判別できる電池を提供するものである。
【課題を解決するための手段】
【０００９】
本発明の電池は、
端子部以外の電池容器の表面を外装材で包装した電池であって、
外装材に設けられた剥離部と、
剥離部によって被覆されている領域部分に設けられた文字、画像、記号または符号等のうち少なくとも一つの表示と、
を備えることを特徴とする。
【００１０】
上述の剥離部には手指で摘まむことができる耳部が形成されていると好適である。
【００１１】
上述の剥離部は電池容器の表面に設けられた文字、画像、記号または符号等を被覆する部分に位置すると好適である。
【００１２】
上述の剥離部は矩形の包装材の一端部に設けられ、包装材のもう一つの端部に設けられた文字、画像、記号または符号等を電池容器に包装されたときに被覆すると好適である。
【発明の効果】
【００１３】
本発明によれば、電池を使い終わった場合に剥離部を除去することで、剥離部に被覆された部分に設けられた文字、画像、記号または符号等の表示を出現させ、使用者にその内容を視認させることができる。
また、何らかの意図を伝達することができるため、初めてこの表示を見た使用者であっても、剥離部が存在しない意味を理解することができる。
さらに、剥離部が外装材と一体となっているため、故意に除去しようとしない限り容易に剥離部が存在しない状態になることがない。そのため、事実を誤認させてしまうような表示を不意に出現させてしまうことがない。
したがって、剥離部の被覆する部分にたとえば使用済である表示を設けておけば、未使用であるか使用済であるかという判別を容易にし、尚且つ未使用の電池を使用済のものであるとの誤認をすることによる無駄な廃棄をしてしまう虞を低減させることができる。
また、未使用の電池と使用済の電池を混在させてしまう虞も低減することができる。
【発明を実施するための最良の形態】
【００１４】
実施形態１
まず、実施形態１について図に基づいて詳細に説明する。
【００１５】
図１は、本発明の実施形態１の電池１０１は電池容器１０２が外装材１０３に包装されて構成されることを示した斜視図である。図１に示すように、電池容器１０２は底面を有する円筒状の金属で形成され、正極としての性質を有する。そして、電池容器１０２の上面には突起部を有する正極端子部１０４が、また下面には負極端子部１０５が設けられる。
ここで、図１では電池１０１を構成する各部材のうち、実施形態１の説明に必要な構成以外は省略した。また、図１に示した各部材等の配置、寸法、縮尺を実物と一致させていない。以下各図面において同様である。
【００１６】
電池容器１０２内には発電材が収容され、正極端子部１０４及び負極端子部１０５を介して電気機器に電力を供給することができる。
【００１７】
図２は電池容器１０２を側方から示した概念図である。
ここで、図２に示すように電池容器１０２の正負端子面でない表面に、たとえば電池が使用済であるという文字の表示１５０を記載する。本実施形態においては「使用済」と記載する。
【００１８】
電池容器１０２の正極端子部１０４及び負極端子部１０５以外の面は、外装材１０３で包装される。この外装材１０３は熱収縮性を有する樹脂等を材質に用い、円筒形の電池容器１０２の表面に適宜形状を適合させて、電気絶縁性の外装面を形成する。
【００１９】
かかる状態で、電気機器に所定の個数だけ電池１０１を装填することによって電源とすることができ、電気機器を正常に動作させることができる。
【００２０】
図３は電池１０１を包装する外装材１０３の一片を示す概念図である。
外装材１０３一片の幅寸法Ｗ１は電池容器１０２の長さよりも大きく形成されており、正極端子部１０４の端部及び負極端子部１０５の端部をも包装する。また、外装材１０３一片の長さ寸法Ｌ１は電池容器１０２の外径円周と略同じ長さで形成されている。電池容器１０２を包装した場合に、外装材１０３の長さＬ１の両端が接する状態になる。このため、実施形態１では外装材１０３が重なり合う部分を生じさせず、電池容器１０２の表面全周において１層の外装材１０３で包装される。
【００２１】
図３の破線で示したように、外装材１０３の端部には所定の幅でミシン目や切り込み等の破断補助加工１０６が施され、容易に切り取って除去することができる剥離部１０７が形成されている。
また、剥離部１０７の端部には、剥離部１０７を手指で容易に摘まむことができる半円形に形成された耳部１０８が形成されている。図４に示すように、電池１０１が外装材１０３に包装されている場合、電池１０１を押さえた状態で、耳部１０８を手指で摘まみ、負極端子部１０５の方向へ引くことで破断補助加工１０６が順次破断され、剥離部１０７をきれいに除去することができる。
【００２２】
さらに、剥離部１０７は、電池１０１を押さえた状態で破断補助加工１０６が破断されるだけの所定の強さ以上の力で耳部１０８を引かなければ除去されない。そのため、意図しない何らかの影響で剥離部１０７が存在しない状態になり、未使用、使用済の判別ができなくなるという虞を限りなく低減させることができる。
【００２３】
また、上述の剥離部１０７の引っ張りに対する強度を利用して、耳部１０８を摘まんで電池１０１を持ち上げることもできる。そのため、電池１０１が装填されている電気機器から耳部１０８を摘まんで取り外すことを容易にすることもできる。
【００２４】
上述したように、表示１５０が剥離部１０７の直下に位置するような状態にして電池容器１０２を外装材１０３によって包装させる。これによって、電池１０１の使用後に剥離部１０７を除去することで表示１５０を出現させることができる。
したがって、電池１０１が使用済の電池であることを一見にして誰しもに判別させることができる。
この結果、電池１０１の使用後に未使用の電池であると誤認して、電気機器に装填してしまう等の間違いを犯す虞を低減させることができる。また、複数の電池が混在している中においても未使用の電池と使用済の電池を判別することが容易にすることができる。
【００２５】
実施形態２
図５は、本発明の実施形態２の電池２０１を包装する外装材２０３を示す概念図である。
【００２６】
図５に示すように、外装材２０３には所定の幅でミシン目や切り込み等の破断補助加工２０６が施され、容易に切り取って除去することができる剥離部２０７が形成されている。
また、外装材２０３の前端部２２０には剥離部２０７を容易に手指で摘まむことができる耳部２０８が形成されている。
そして、外装材２０３の後端部２３０付近には、たとえば電池２０１が使用済である文字の表示２５０を記載する。本実施形態においては「使用済」と記載する。
【００２７】
上述した外装材２０３の長さ寸法Ｌ２は、図６に示したように電池容器２０２の外径円周よりも大きく形成する。そのため、電池容器２０２を外装材２０３で包装すると、外装材２０３の後端部２３０と前端部２２０が重なり合う状態で配置される。つまり、外装材２０３にはりしろの部分を生じさせた状態で包装される。
したがって、剥離部２０７と前端部２２０がはりしろの上層部分となり、表示２５０が記載された後端部２３０がはりしろの下層部分に位置する。
【００２８】
そして、図７に示したように、電池２０１を押さえた状態で、耳部２０８を手指で摘まみ、負極端子部２０５の方向へ引くことで破断補助加工２０６が順次破断され、剥離部２０７をきれいに除去することができる。これによって、外装材２０３のはりしろの下層部分に記載された表示２５０を出現させることができる。この結果、電池２０１が使用済の電池であることを一見にして誰しもに判別させることができる。
【００２９】
したがって、後に使用済の電池２０１を未使用の電池であると誤認して、電気機器に装填してしまう等の間違いを犯す虞を低減させることができる。
【００３０】
実施形態２では、電池容器２０２を包装する外装材２０３に使用済である文字の表示２５０を記載している。外装材２０３には商標名、形式名、注意書等の表記が印刷されるため、各種印刷を施す工程と同じ工程で表示２５０を記載することができる。そのため、電池２０１の製造に新たな工程を設けずとも、従来から行なっていた工程を変更することで実施することができる。よって、本実施形態は導入が簡便である。
【００３１】
実施形態３
図８は実施形態３の電池３０１の外装を形成する外装材３０３を示す概念図である。また、図９は実施形態３の外装材３０３に包装された電池３０１を示す概念図である。
【００３２】
図８に示すように、外装材３０３は所定の位置にたとえば電池が使用済である文字の表示３５０が記載される。外装材３０３の長さ寸法Ｌ３が図示しない電池容器の外径円周よりも大きく、はりしろの部分が生じる場合には、はりしろに覆われない位置に表示３５０を記載する。また、外装材３０３の長さ寸法Ｌ３が電池容器の外径円周と略同じ場合には、外装材３０３によって覆い隠される部分が生じないため、表示３５０は何れの位置に記載しても良い。
【００３３】
そして、表示３５０を覆うようにシール状の剥離部３０７を貼付し、機器に装填して使用しているときには表示３５０を出現させない。
【００３４】
剥離部３０７は裏面に再剥離性のある粘着層を有し、外装材３０３に貼付される。剥離部３０７は外装材３０３に密着した状態になるため、意図しない何らかの影響を受けて剥離され、存在しない状態になる虞を低減することができる。そして、剥離部３０７は再剥離性のある粘着による外装材３０３への貼付であるため、手指で端部を摘まみ取ることによって容易に剥離させることができる。
ここで、剥離部３０７の端部に折り目を形成して耳部とし、手指で摘まみやすくしておいても良い。
【００３５】
図９に示す外装材３０３によって包装された電池３０１は、電池３０１の使用後に剥離部３０７を剥離させ、剥離部３０７に被覆された表示３５０を出現させることができる。これによって、電池３０１が使用済の電池であるということを一見にして誰しもに判別させることができる。
【００３６】
したがって、後に使用済の電池３０１を未使用の電池であると誤認して、機器に装填してしまう等の間違いを犯す虞を低減させることができる。
【００３７】
以上、具体例を参照しつつ実施形態について説明した。本発明は上述した実施形態に限定されるものではなく、要旨を逸脱しない範囲で種々変形して実施することが可能である。
【００３８】
たとえば、実施形態１及び実施形態２における剥離部１０７、２０７には半円形に形成された耳部１０８、２０８を設けたが、手指で容易に摘まむことができる所定の大きさを有するものであれば良く、その形状を問うものではない。
【００３９】
また、図１０のように、剥離部１０７の端部だけ電池容器１０２に接着させずに配置することで耳部１１８として形成することもできる。そして、耳部１１８を手指で摘まんで引くことで剥離部１０７を除去することができる。
ここで、剥離部１０７の全周において破断補助加工１１６を形成すれば、剥離部１０７の位置を外装材１０３の端部に設けずとも良く、配置する位置を自由に設定することができる。
【００４０】
さらに、本発明において剥離部は正極端子部に近い辺から、負極端子部の方向へ引くことで表示を出現させるとしたが、負極端子部に近い辺から正極端子部の方向へ引いて剥離部を除去させる構成であっても何ら構うものではない。
【００４１】
またさらに、本発明は円筒形の電池を一例として説明したが、同様の外装材を用いて所定の起電材を収容する電池容器を包装して成す電池には同様に実施することができる。たとえば、角型の電池にも応用することができる。
【００４２】
さらに、起電材の配置及び材質、部材の構成等、本発明の説明に直接必要としない部分などについては記載を省略したが、必要とされる構成については適宜選択して用いることができる。
【００４３】
さらに、本発明の表示は電池が使用済である告知の表示を記載することを例として挙げたが、表記する内容はこれに限るものではない。
たとえば、該電池の使用者に対し、自社製品を使用してくれたことに対する謝意を記載することもできる。
また、当該製品を購入しなければ剥離部に被覆された部分の情報を知り得ないことを利用し、購入者に対する特典となる情報を記載することもできる。たとえば、景品の応募権となるＩＤナンバーや、その他インターネット上でアクセスするためのＵＲＬ等、種々の情報を購入者以外には秘密裡に伝達することもできる。
【００４４】
したがって、上述した情報伝達の表示と、使用済である表示と併記することで、製品の訴求力と製品の利便性を共に向上させることができる。
【００４５】
その他、本発明の要素を具備し、当業者が適宜設計変更しうるすべての、及び各部材の形状は、本発明の範囲に包含される。
【図面の簡単な説明】
【００４６】
【図１】本発明の実施形態１の電池が外装材によって包装される様子を示す斜視図である。
【図２】本発明の実施形態１の電池容器を示した概念図である。
【図３】本発明の実施形態１の外装材を示した概念図である。
【図４】本発明の実施形態１の剥離部を除去し、剥離部の直下に記載された表示を出現させる様子を示した概念図である。
【図５】本発明の実施形態２の外装材を示した概念図である。
【図６】本発明の実施形態２の電池が外装材によって包装される様子を示した斜視図である。
【図７】本発明の実施形態２の剥離部を除去し、外装材の下層に記載された表示を出現させる様子を示した概念図である。
【図８】本発明の実施形態３の外装材と、貼付する剥離部を示した概念図である。
【図９】本発明の実施形態３の外装材に貼付された剥離部を除去し、外装材に記載された表示を出現させる様子を示した概念図である。
【図１０】本発明の実施形態１或いは２の剥離部の他の一例を示した概念図である。
【図１１】端子部に封印シールを貼付する態様の従来の電池の構成を示す概念図である。
【図１２】従来の電池の封印シールが正極端子部を保護して貼付される様子を電池の正極側から示した概念図である。
【符号の説明】
【００４７】
１０１、２０１、３０１…電池
１０２、２０２…電池容器
１０３、２０３、３０３…外装材
１０４…正極端子部
１０５、２０５…負極端子部
１０６、２０６…破断補助加工
１０７、２０７、３０７…剥離部
１０８、２０８…耳部
１５０、２５０、３５０…表示
２２０…前端部
２３０…後端部
【図１】
2008305582.tif 000003
【図２】
2008305582.tif 000004
【図３】
2008305582.tif 000005
【図４】
2008305582.tif 000006
【図５】
2008305582.tif 000007
【図６】
2008305582.tif 000008
【図７】
2008305582.tif 000009
【図８】
2008305582.tif 000010
【図９】
2008305582.tif 000011
【図１０】
2008305582.tif 000012
【図１１】
2008305582.tif 000013
【図１２】
2008305582.tif 000014